(57)【要約】【課題】記録対象とする番組の選択のための手間を簡略化すると共に、その選択の状態を容易に認識することが可能な情報選択装置を提供する。【解決手段】複数の情報を検索し、その検索された情報の名称等を含むリストを生成して表示するＯＳＤ部９と、表示されているリストを用いて、検索された情報の中からハードディスク３Ａに記録すべき記録対象情報を選択するために用いられる操作部１４と、選択された記録対象情報を示す指示情報を記録し、当該記憶されている指示情報により示される記録対象情報が選択されていることを告知するＣＰＵ１２と、を備える。【選択図】図１
2009049447.tif 000002
【特許請求の範囲】
【請求項１】
複数の情報を検索する検索手段と、
前記検索された情報を示す指示情報を含むリストを生成して表示するリスト生成表示手段と、
前記表示されているリストを用いて、前記検索された情報の中から記録媒体に記録すべき当該情報である記録対象情報を選択するために用いられる選択手段と、
前記選択された記録対象情報を示す指示情報を記録する記憶手段と、
前記記憶されている指示情報により示される前記記録対象情報が選択されていることを告知する告知手段と、
を備えたことを特徴とする情報選択装置。
【請求項２】
請求項１に記載の情報選択装置において、
前記選択手段は、前記表示されているリストを用いて前記記録対象情報を逐次追加しつつ選択するために用いられる選択手段であり、
前記記憶手段は、新たな前記記録対象情報が追加選択される度に当該新たに追加選択された記録対象情報を示す前記指示情報を追加記憶し、
更に前記告知手段は、新たな前記指示情報が追加記憶される度に当該新たに追加記憶された指示情報により示される前記記録対象情報が新たに選択されたことを追加告知することを特徴とする情報選択装置。
【請求項３】
請求項１又は２に記載の情報選択装置において、
前記検索手段により検索される前記情報は外部から取得される当該情報であると共に、
前記選択された記録対象情報のうち、前記外部から取得可能な時間の少なくとも一部が相互に重複しているか否かを当該各記録対象情報毎に確認する重複確認手段を更に備え、
前記告知手段は、前記時間の少なくとも一部が他の前記記録対象情報と重複する前記記録対象情報については、当該重複する旨を告知することを特徴とする情報選択装置。
【請求項４】
請求項１から３のいずれか一項に記載の情報選択措置において、
前記検索手段により検索される前記情報は、前記記録媒体に記録されるに当たって夫々課金の対象となる当該情報であると共に、
前記選択された記録対象情報の夫々に対応する課金額の合計を算出する算出手段を更に備え、
前記告知手段は、前記算出された合計を告知することを特徴とする情報選択装置。
【請求項５】
請求項４に記載の情報選択装置において、
前記算出手段は、新たな前記記録対象情報が選択される度に、当該新たに選択された記録対象情報に対応する課金額を当該新たな選択までの前記合計に加算することを特徴とする情報選択装置。
【請求項６】
請求項１から５のいずれか一項に記載の情報選択装置において、
前記検索手段により検索される前記情報は、放送電波を介して放送されて来たものを受信して得られる放送情報であることを特徴とする情報選択装置。
【請求項７】
請求項１から６のいずれか一項に記載の情報選択装置と、
前記選択された記録対象情報を前記記録媒体に記録する記録手段と、
を備えたことを特徴とする情報記録装置。
【請求項８】
コンピュータを、請求項１から６のいずれか一項に記載の情報選択装置として機能させることを特徴とする情報選択用プログラム。
【発明の詳細な説明】
【技術分野】
【０００１】
本願は、情報選択装置及び情報記録装置並びに情報選択用プログラムの技術分野に属し、より詳細には、検索結果として得られる複数の情報から必要な情報を選択する情報選択装置及び当該情報の選択に用いられる情報選択用プログラム並びに当該選択された情報を記録媒体に記録する情報記録装置の技術分野に属する。
【背景技術】
【０００２】
従来、いわゆるハードディスクレコーダ等、例えば放送されている番組に対応する放送情報を選択して記録する情報記録装置が広く普及している。
【０００３】
そして、当該情報記録装置の中には、例えば下記特許文献１に示すように、使用者がキーワードを選んで選択することで当該キーワードに適合した番組を検索・抽出し、その抽出した番組に対応する放送情報を記録するように構成されているものがある。
【特許文献１】特開２００２−５７９７０
【発明の開示】
【発明が解決しようとする課題】
【０００４】
しかしながら、上述した特許文献１に示すものを含む従来の検索機能を備えた情報記録装置の典型例では、一度検索した結果として複数の番組が表示されたとき、その表示されている中から実際に記録するものとして選択できる番組は一つのみに限られており、記録対象として複数の番組を選ぶには、元々の検索段階からやり直す構成とされているものが多かった。
【０００５】
そして、このような構成では、使用者が複数の番組を記録対象として選択する場合、一つの番組を選ぶたびに最初の検索画面に戻って検索処理から繰り返して新たな番組を選ぶと言う手順を繰り返す必要があり、番組選択の手間が極めて繁雑になると言う問題点があった。
【０００６】
そこで、本願は上記の問題点に鑑みて為されたもので、その課題の一例は、記録対象とする例えば番組の選択に当たっての手間を簡略化すると共に、その選択の状態を使用者が容易に認識することが可能な情報選択装置及び当該情報の選択に用いられる情報選択用プログラム並びに当該選択された情報を記録媒体に記録する情報記録装置を提供することにある。
【課題を解決するための手段】
【０００７】
上記の課題を解決するために、請求項１に記載の発明は、複数の情報を検索するＣＰＵ等の検索手段と、前記検索された情報を示す指示情報を含むリストを生成して表示するＣＰＵ等のリスト生成表示手段と、前記表示されているリストを用いて、前記検索された情報の中からハードディスク等の記録媒体に記録すべき当該情報である記録対象情報を選択するために用いられる操作部等の選択手段と、前記選択された記録対象情報を示す指示情報を記録するＣＰＵ等の記憶手段と、前記記憶されている指示情報により示される前記記録対象情報が選択されていることを告知するディスプレイ等の告知手段と、を備える。
【０００８】
上記の課題を解決するために、請求項７に記載の発明は、請求項１から６のいずれか一項に記載の情報選択装置と、前記選択された記録対象情報を前記記録媒体に記録する記録部等の記録手段と、を備える。
【０００９】
上記の課題を解決するために、請求項８に記載の発明は、コンピュータを、請求項１から６のいずれか一項に記載の情報選択装置として機能させる。
【発明を実施するための最良の形態】
【００１０】
次に、本願を実施するための最良の形態について、図１乃至図５を用いて説明する。なお、以下に説明する実施形態は、放送電波を介して放送されて来る番組等を含む放送情報を受信して記録すると共に、当該記録された放送情報等を再生するハードディスクレコーダ等の情報記録再生装置に対して本願を適用した場合の実施の形態である。
【００１１】
また、図１は実施形態に係る情報記録再生装置の概要構成を示すブロック図であり、図２及び図３は当該情報記録再生装置における実施形態に係る動作を示すフローチャートであり、図４及び図５は実施形態に係る番組選択画面を夫々例示する図である。
【００１２】
図１に示すように、実施形態に係る情報記録再生装置Ｒは、アンテナ1が接続されたチューナ２と、磁気的に情報を記録する記録媒体としてのハードディスク３Ａが内蔵されたハードディスクドライブ３と、記録手段としての記録部４と、再生部５と、ＥＰＧ（Electronic Program Guide）処理部６Ａを含む信号処理部６と、音声処理部７と、画像処理部８と、ＯＳＤ（On Screen Display）部９と、スピーカ１０と、液晶ディスプレイ等よりなる告知手段としてのディスプレイ１１と、検索手段、記憶手段、算出手段及びリスト生成表示手段としてのＣＰＵ１２と、表示部１３と、ボタン又はカーソル等よりなる選択手段としての操作部１４と、により構成されている。
【００１３】
次に、全体動作を説明する。
【００１４】
先ず、ハードディスク３Ａに記録されている放送情報等を再生する場合の動作について、図１を用いて説明する。
【００１５】
ハードディスク３Ａに記録済のいずれかの放送情報を再生する旨の操作が操作部１４において実行されると、当該操作に対応する操作信号ＳopがＣＰＵ１２に出力される。
【００１６】
これにより、ＣＰＵ１２は、当該操作により指定されている放送情報を、ハードディスク３Ａにおけるその記録位置から検出すべく、制御信号Ｓcdをハードディスクドライブ3に出力する。
【００１７】
そして、当該ハードディスクドライブ３は、当該制御信号Ｓcdにより示されるハードディスク３Ａ上の位置から必要な情報を読み出し、読出信号Ｓpとして再生部５へ出力する。
【００１８】
これにより、再生部５は、ＣＰＵ１２からの制御信号Ｓcpに基づき、当該読出信号Ｓpに対して予め設定された増幅処理及び復号処理を施し、復号信号Ｓppとして信号処理部６へ出力する。
【００１９】
そして、信号処理部６は、当該復号信号Ｓppから音声信号を取り出し、これを復号音声信号Ｓaaとして音声処理部７へ出力すると共に、当該復号信号Ｓppから画像信号を取り出し、これを復号画像信号Ｓvvとして画像処理部８へ出力する。
【００２０】
これと並行して信号処理部６は、復号信号Ｓppから、再生時に用いられるメニュー画面等を構成する画像等を取り出し、メニュー用信号ＳsrとしてＯＳＤ部９へ出力する。
【００２１】
そして、ＯＳＤ部９は、当該メニュー用信号Ｓsrに基づき、当該メニュー画面等を必要に応じて合成し、メニュー信号Ｓosdとして画像処理部８へ出力する。
【００２２】
これらにより、画像処理部８は、上記復号画像信号Ｓvvとメニュー信号Ｓosdとを必要に応じて合成し、画像信号Ｓvとしてディスプレイ１１に出力する。
【００２３】
そして、ディスプレイ１１は、当該画像信号Ｓvに対応した画像を表示する。
【００２４】
一方、上記音声処理部７は、上記復号音声信号Ｓaaに対してアナログ化処理等の必要な処理を施し、音声信号Ｓaとしてスピーカ１０に出力する。
【００２５】
これにより、スピーカ１０は、当該音声信号Ｓaに対応する音声を放音する。
【００２６】
次に、実施形態に係る情報記録再生装置Ｒにおいて、アンテナＡＮＴを介して受信した放送情報をハードディスク３Ａに記録する場合の動作について、一般的に図１を用いて説明する。
【００２７】
先ず、記録されるべき放送情報が放送電波を介して放送され、それがアンテナＡＮＴにおいて受信されると、当該受信された放送情報に対応する受信信号ＳantがアンテナＡＮＴからチューナ２に出力される。
【００２８】
これにより、チューナ２は、当該受信信号Ｓantに対して予め設定された増幅処理及び検波処理等を施し、チューナ信号Ｓtとして信号処理部６に出力する。
【００２９】
このとき、当該放送情報には、ハードディスク３Ａに記録されるべき番組に相当する画像情報及び音声情報等の他に、各番組の放送予定情報（放送開始時刻及び放送終了時刻、放送チャンネル並びに有料番組の場合はその受信料等を示す情報を含む放送予定情報）がＥＰＧ情報として含まれており、当該ＥＰＧ情報はチューナ信号Ｓtの一部として信号処理部６内のＥＰＧ処理部６Ａに出力される。
【００３０】
そして、信号処理部６は、当該入力されたチューナ信号Ｓtに含まれている上記画像情報等に対して予め設定された符号化処理及びフォーマッティング処理等を施し、処理受信信号Ｓrrとして記録部４に出力する。
【００３１】
これにより、記録部４は、ＣＰＵ１２からの制御信号Ｓcrに基づき、当該処理受信信号Ｓrrに対して予め設定された記録処理（具体的には、ハードディスク３Ａに記録するために特に必要となる記録処理）を施し、記録信号Ｓrとしてハードディスクドライブ３に出力し、当該ハードディスク３Ａに記録させる。
【００３２】
なお、上述した放送情報の記録時において、ハードディスク３Ａに記録する番組を選択するに当たっては、上記ＥＰＧ処理部６Ａにおいて処理されたＥＰＧ情報に基づき、ＯＳＤ部９により後述する実施形態に係る選択画面等が生成され、それらが画像処理部９を介してディスプレイ１１に表示される。そして、当該表示されている選択画面等を用いて、使用者が操作部１４を操作することにより、上記具体的な記録対象となる番組が選択される。
【００３３】
上述して来た再生動作及び記録動作（番組の選択動作を含む）と並行して、ＣＰＵ１２は、当該再生動作及び記録動作が実行されるように、上記制御信号Ｓcd、Ｓcp、Ｓcr及びＳccを夫々生成し、対応する構成部材に出力することで当該各構成部材を統括制御する。
【００３４】
また、当該再生動作及び記録動作の実行に伴い、必要な操作は操作部１４において実行され、当該実行された操作に対応して操作部１４から出力される操作信号Ｓopに基づきＣＰＵ１２が上記統括制御を実行する。
【００３５】
更に、情報記録再生装置Ｒの動作は、必要に応じてＣＰＵ１２から出力される表示信号Ｓdpに基づき、表示部１３において表示され、使用者が認識するところとなる。
【００３６】
次に、上述した構成を備える実施形態に係る情報記録再生装置Ｒにおいて実行される、実施形態に係る番組の選択動作について、具体的に図２乃至図５を用いて説明する。
【００３７】
以下に説明する実施形態に係る番組の選択動作においては、チューナ部２を介して受信される放送情報に含まれている複数の番組（有料番組を含む）の中から、上記ＥＰＧ情報を用いて使用者が所望する複数の番組が最初に検索され、その検索された番組の中から、一又は複数の番組がハードディスク３Ａに記録されるべきものとして更に選択される。
【００３８】
すなわち、実施形態に係る選択動作としては、図２（ａ）に示すように、操作部１４において、使用者により、ハードディスク３Ａに記録すべき番組の検索を要求する旨の操作が実行されると（ステップＳ１）、次に、当該要求に続いて使用者により入力された検索キーワード等を用いて当該検索処理が実行され、その結果としての検索結果リストがディスプレイ１１に表示される（ステップＳ２）。このステップＳ２の処理については後ほど詳述する。
【００３９】
検索結果リストが表示されると、次に、当該表示されている検索結果リストの中に含まれている番組の中から、ハードディスク３Ａに記録すべき番組が予約録画対象番組として更に選択される（ステップＳ３）。このステップＳ３の処理についても後ほど詳述する。
【００４０】
そして、予約録画対象番組の選択が終了すると、その選択結果が予約録画リストとしてディスプレイ１１に表示される（ステップＳ４）。
【００４１】
その後、当該表示されている予約録画リストに含まれている番組をもって予約録画対象番組の選択を終了するか否かを使用者に対して確認する旨の表示がディスプレイ１１において実行され（ステップＳ５）、当該選択動作を終了するときは（ステップＳ５；ＹＥＳ）そのまま実施形態に係る選択動作を終了し、一方、他の番組について引き続き予約録画対処番組の選択動作を行うときは（ステップＳ５；ＮＯ）、上記ステップＳ１に戻って当該他の番組に対して上記ステップＳ１乃至Ｓ５の処理を繰り返す。
【００４２】
次に、上記ステップＳ２における検索結果リストの表示処理の詳細について、図２（ｂ）を用いて説明する。
【００４３】
当該検索結果リストの表示処理においては、図２（ｂ）に示すように、先ず、当該検索のためのキーワードが操作部１４において使用者により入力されると、当該キーワードを用いた周知の検索方法により、当該キーワードの内容に対応した番組を検索し（ステップＳ２１）、その検索した内容をその題名等を用いて各番組毎に使用者に確認させる（ステップＳ２２、Ｓ２３）。
【００４４】
そして、内容確認した番組が、自らが入力したキーワードに対応している旨の操作が操作部１４において行われた場合は（ステップＳ２３；ＹＥＳ）、ＣＰＵ１２内の図示しない検索結果リスト用メモリ（すなわち、最終的に検索結果リストとして表示する（後記ステップＳ２６参照）番組を示す情報を、各番組の内容が確認される（ステップＳ２２、Ｓ２３）度に一時的に記憶しておくＣＰＵ１２内のメモリ）に当該対応した内容を有する番組を示す情報を記憶させる（ステップＳ２４）。これに対し、ステップＳ２３の判定において、内容確認した番組が上記キーワードに対応してない旨の操作が操作部１４において行われた場合は（ステップＳ２３；ＮＯ）、当該内容確認した番組を示す情報を上記検索結果リスト用メモリに記憶させることなくステップＳ２５の処理に移行する。
【００４５】
そして、ステップＳ２４において検索結果リスト用メモリ内に対する内容確認した番組を示す情報の記憶が終了したときは、検索結果（上記ステップＳ２１参照）内に内容確認すべき他の番組があるか否かを確認し（ステップＳ２５）、内容確認すべき他の番組があるときは（ステップＳ２５；ＹＥＳ）、ステップＳ２１の検索処理における検索順で次の番組についての内容確認に移行し（ステップＳ２７、Ｓ２２）、以後、上述したステップＳ２２乃至Ｓ２５の処理を当該他の番組について繰り返す。一方、ステップＳ２５の判定において、検索された全ての番組についてそれらの内容確認が終了しているときは（ステップＳ２５；ＮＯ）、図４に示す検索結果リストをディスプレイ１１上に表示して（ステップＳ２６）、図２（ａ）に示すステップＳ３の処理に移行する。
【００４６】
ここで、上記ステップＳ２６の処理においてディスプレイ１１上に表示される検索結果リストの例について、図４を用いて説明する。
【００４７】
図４に示すように、当該検索結果リストＬ１としては、検索に用いられた（上記ステップＳ２１参照）キーワードの内容に適合したと判断された各番組がディスプレイ１１上に一覧表示される。このとき、当該検索結果リストＬ１として具体的には、表示すべき番組の放送時間を表示する放送時間欄１０１と、各番組が放送されるチャンネル番号を表示するチャンネル欄１０２と、各番組の具体的な名称を表示する番組名欄１０３と、が少なくとも含まれている。そして、これらに加えて、その後に実行される選択動作に備え、その番組に相当する放送情報をハードディスク３Ａに記録するか否かを表示する予約録画登録欄１０４と、各番組が有料番組である場合の受信料を表示する金額欄１０５と、予約録画登録された番組につき当該各番組間で放送時間の重複があるか否かを表示する重複確認欄１０７と、ハードディスク３Ａに記録することが予約録画登録された番組全ての数及び受信料の総額を表示する合計欄１００と、が、夫々空欄状態で含まれている。なお、検索結果リストＬ１と同じ画面内には、例えば合計欄１００に表示されている金額等を見て最終的に予約録画登録を決定する際に操作される決定ボタン１０６が、例えば所謂アイコンの状態で併せて表示される。
【００４８】
次に、図２（ａ）ステップＳ３における予約録画対象番組の選択動作の詳細について、図３（ａ）を用いて説明する。
【００４９】
当該予約録画対象番組の選択動作においては、図３（ａ）に示すように、図４に示す検索結果リストＬ１における各番組毎に操作部１４においてその予約録画選択動作が実行され（ステップＳ３１、Ｓ３２）、当該選択動作において予約録画の対象とされた番組については（ステップＳ３２；ＹＥＳ）、ＣＰＵ１２内の図示しない予約録画リスト用メモリ（すなわち、最終的に予約録画リストとして表示する（図２（ａ）ステップＳ４参照）番組を示す情報を、各番組が選択される（ステップＳ３１、Ｓ３２）度に一時的に記憶しておくＣＰＵ１２内のメモリ）に当該選択された番組を示す情報を記憶させる（ステップＳ３３）。なお、当該ステップＳ３３における記憶処理と並行して実行される他の処理については、後ほど詳述する。
【００５０】
一方、ステップＳ３２の判定において、予約録画の対象とされない番組については（ステップＳ３２；ＮＯ）、当該対象でない番組を示す情報を上記予約録画リスト用メモリに記憶させることなくステップＳ３４の処理に移行する。
【００５１】
そして、ステップＳ３３において予約録画リスト用メモリ内に対する予約録画対象番組を示す情報の記憶が終了したときは、更に予約録画すべき他の番組を示す情報が上記検索結果リスト用メモリ内が記憶されているか否かを確認し（ステップＳ３４）、当該他の番組があるときは（ステップＳ３４；ＮＯ）、当該他の番組について上述したステップＳ３１乃至Ｓ３４の処理を繰り返す。一方、ステップＳ３４の判定において、当該他の番組がないときは（ステップＳ３４；ＹＥＳ）、そのまま図２（ａ）に示すステップＳ４の処理に移行する。
【００５２】
最後に、図３（ａ）ステップＳ３３における予約録画リスト用メモリへの記憶処理に伴って実行されるその他の処理について、図３（ｂ）を用いて説明する。
【００５３】
当該ステップＳ３３の処理においては、図３（ｂ）に示すように、図３（ａ）ステップＳ３２の判定において新たな番組が予約録画の対象とされた場合に（ステップＳ３２；ＹＥＳ）、その番組と、既に予約録画リスト用メモリ内に記憶されている情報により示される番組と、の間で、放送時間の重複があるか否かを、夫々に対応する上記ＥＰＧ情報に基づいて確認し（ステップＳ３３１、Ｓ３３２）、重複しているときは（ステップＳ３３２；ＹＥＳ）、その旨を現在の予約録画リスト用メモリ内に合わせて記憶させ（ステップＳ３３３）ステップＳ３３４の処理に移行する。
【００５４】
一方、ステップＳ３３２の判定において、放送時間が重複する他の番組がないときは（ステップＳ３３２；ＮＯ）、次に、当該新たに予約録画の対象とされた番組が有料番組であってそれを購入するか否かを、表示部１３における表示等を用いて使用者に確認させる（ステップＳ３３４、Ｓ３３５）。
【００５５】
そして、その番組を購入する旨の操作が操作部１４において実行されたときは（ステップＳ３３５；ＹＥＳ）その番組に対応する受信料をそれまでの受信料の総額に加算すると共に図４に示す合計欄１００の内容を更新するための情報を上記予約録画リスト用メモリに記憶し（ステップＳ３３６）、図３（ａ）ステップＳ３４の処理に戻る。
【００５６】
他方、ステップＳ３３５の判定において、その番組を記録しない（購入しない）旨の操作が操作部１４において実行されたときは（ステップＳ３３５；ＮＯ）、そのまま図３（ａ）ステップＳ３４の処理に戻る。
【００５７】
次に、上記図３（ａ）及び（ｂ）に夫々示す処理が実行されることでディスプレイ１１に表示される予約録画リストの具体例について、図５（ａ）を用いて説明する。なお、図５（ａ）において、図４に示す画面例と同様のものについては、同様の部材番号を付して細部の説明は省略する。
【００５８】
図３（ａ）及び（ｂ）に夫々示す処理が検索された（図２（ａ）ステップＳ１及びＳ２参照）各番組について実行されると、図４に例示した検索結果リストＬ１から図５（ａ）に示す予約録画リストＬ２が生成・表示される。
【００５９】
このとき、当該予約録画リストＬ２においては、予約録画の対象となる番組が一つ選択される度に（図３（ａ）参照）、図５（ａ）に例示するように予約登録欄１０４にレ点が追加されていく。これと並行して、一つの番組についてレ点が追加される度に、金額欄１０５及び重複確認欄１０６に夫々その番組単体の受信料及び放送時間の重複の有無が表示されていく。
【００６０】
また、合計欄１００についても、予約登録された番組の総数及び購入決定された番組全ての受信料の合計額が、一つの番組についての予約登録の有無及び購入の有無が確認される度に更新表示される（図３（ｂ）ステップＳ３３３及びＳ３３６参照）。
【００６１】
そして、最終的に予約録画リストＬ２が完成した後に、決定ボタン１０６が操作部１４により操作されると、図５（ｂ）に例示する如き予約確認リストＬ３がディスプレイ１１に表示される。このとき、図５（ｂ）に例示する場合では、予約確認リストＬ３としては、番組名、放送時間、放送チャンネル及び放送時間の重複の有無が含まれている。
【００６２】
その後、当該予約確認リストＬ３の内容を使用者が確認した旨の操作が操作部１４において実行されると（図２（ａ）ステップＳ５参照）、実施形態に係る番組の選択動作を含む予約録画のための処理が完了する。
【００６３】
以上説明したように、実施形態に係る番組の選択動作によれば、キーワードを用いて検索された複数の番組を夫々示す情報を複数含む検索結果リストＬ１の中から予約録画の対象となる番組を一又は複数選択し、その選択結果が予約録画リストＬ２として表示されるので、予約録画すべき番組を纏めて複数選択し且つそれらが選択されていることを容易に認識することできる。
【００６４】
また、連続的に追加選択された予約録画対象番組につき、その追加選択された旨が当該追加選択の度に追加表示されるので、使用者は当該番組が追加選択された旨を逐次認識することができる。
【００６５】
更に、各予約録画対象番組としての夫々の放送時間の少なくとも一部が重複するとき、その旨が表示されるので、使用者が当該重複する旨を認識して予約録画すべき番組としての選択を解除する等の処置をとることが容易となる。
【００６６】
更にまた、各予約録画対象番組をハードディスク３Ａに記録するに当たって必要な金額の合計が表示されるので、使用者が当該番組を選択するに当たって参考としつつ当該選択を行うことができる。
【００６７】
また、受信料の合計が、予約録画対象番組が新たに選択される度にそれまでの合計に加算されて表示されるので、当該合計を参考としつつ予約録画対象番組の選択を行う際の利便性を向上させることができる。
【００６８】
更に、効率的に選択された予約録画対象番組をハードディスク３Ａに記録することで、使用者の負担軽減及び迅速な記録処理の実行に資することができる。
【００６９】
なお、上述した実施形態においては、放送情報をハードディスク３Ａに記録する情報記録再生装置Ｒに本願を適用した場合について説明したが、これ以外に、記録媒体として例えば光ディスクや半導体メモリを用いる情報記録再生装置に本願を適用することも可能である。
【００７０】
更に、上述した実施形態においては、放送情報をハードディスク３Ａに記録する場合について説明したが、これ以外に、インターネット等のネットワークを介して配信されてくる配信情報としての番組をハードディスク３Ａ又は他の記録媒体に記録して再生する情報記録再生装置に対して本願を適用することも可能である。
【００７１】
更にまた、上述した実施形態においては、予約録画リストＬ２等をディスプレイ１１に表示することで予約録画のための処理の進行状態を告知したが、これ以外に例えば音声や文字情報等を併せて表示しつつ当該進行状態を告知することとしてもよい。
【００７２】
また、図２及び図３に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係るＣＰＵ１２として活用することも可能である。
【図面の簡単な説明】
【００７３】
【図１】実施形態に係る情報記録装置の概要構成を示すブロック図である。
【図２】実施形態に係る情報記録装置における動作を示すフローチャート（Ｉ）であり、（ａ）は実施形態に係る選択動作の全体を示すフローチャートであり、（ｂ）は検索結果リストの表示処理の細部を示すフローチャートである。
【図３】実施形態に係る情報記録装置における動作を示すフローチャート（II）であり、（ａ）は実施形態に係る予約録画対象番組の選択処理を示すフローチャートであり、（ｂ）は予約録画リストの生成処理の細部を示すフローチャートである。
【図４】実施形態に係る番組選択画面を例示する図（Ｉ）である。
【図５】実施形態に係る番組選択画面を例示する図（II）であり、（ａ）は予約録画リストの内容を具体的に例示する図であり、（ｂ）は予約確認リストの内容を具体的に例示する図である。
【符号の説明】
【００７４】
Ｒ    情報記録再生装置
１    アンテナ
２    チューナ
３    ハードディスクドライブ
３Ａ    ハードディスク
４    記録部
６    信号処理部
６Ａ    ＥＰＧ処理部
９    ＯＳＤ部
１１    ディスプレイ
１２    ＣＰＵ
１３    表示部
１４    操作部
１００    合計欄
１０１    放送時間欄
１０２    チャンネル欄
１０３    番組名欄
１０４    予約録画登録欄
１０５    金額欄
１０６    決定ボタン
１０７    重複確認欄
Ｒ    情報記録再生装置
Ｌ１    検索結果リスト
Ｌ２    予約録画リスト
Ｌ３    予約確認リスト
【図１】
2009049447.tif 000003
【図２】
2009049447.tif 000004
【図３】
2009049447.tif 000005
【図４】
2009049447.tif 000006
【図５】
2009049447.tif 000007